(57)【要約】【課題】構成を容易化しつつ、くしの状態として、異物挟み込み状態およびくし歯破損状態の両方を検出することのできる乗客コンベアの制御装置を得る。【解決手段】乗客コンベアの制御装置は、集音された音が、くしと踏段との間に異物が挟み込まれている異物挟み込み状態が発生している場合に生じる異音であるか否かを判定する第１の判定を行い、撮影されたくしのくし歯部分の画像から、異物挟み込み状態が発生しているか否かを判定する第２の判定を行い、撮影されたくしのくし歯部分の画像から、くし歯が破損しているくし歯破損状態が発生しているか否かを判定する第３の判定を行い、第１の判定の結果と、第２の判定の結果と、第３の判定の結果とに基づいて、異物挟み込み状態が発生しているか否かと、くし歯破損状態が発生しているか否かとを検出する。【選択図】図１
2019218173.tif 000002
【特許請求の範囲】
【請求項１】
乗客コンベアで発生する音を集音可能なように設けられた集音部と、
前記乗客コンベアの踏段のクリートと噛み合うくしのくし歯部分を撮影可能なように設けられた第１の撮影部と、
前記集音部によって集音された前記音と、前記第１の撮影部によって撮影された前記くしの前記くし歯部分の画像とを取得するコントローラと、
を備え、
前記コントローラは、
前記集音部によって集音された前記音が、前記くしと前記踏段との間に異物が挟み込まれている異物挟み込み状態が発生している場合に生じる異音であるか否かを判定する第１の判定を行い、
前記第１の撮影部によって撮影された前記くしの前記くし歯部分の前記画像から、前記異物挟み込み状態が発生しているか否かを判定する第２の判定を行い、
前記第１の撮影部によって撮影された前記くしの前記くし歯部分の前記画像から、前記くし歯が破損しているくし歯破損状態が発生しているか否かを判定する第３の判定を行い、
前記第１の判定の結果と、前記第２の判定の結果と、前記第３の判定の結果とに基づいて、前記異物挟み込み状態が発生しているか否かと、前記くし歯破損状態が発生しているか否かとを検出する
乗客コンベアの制御装置。
【請求項２】
前記コントローラは、前記異物挟み込み状態および前記くし歯破損状態の少なくとも一方の状態が発生していることを検出した場合、前記乗客コンベアの運転を停止させる
請求項１に記載の乗客コンベアの制御装置。
【請求項３】
前記乗客コンベアに乗っている乗客を撮影可能に設けられた第２の撮影部をさらに備え、
前記コントローラは、前記異物挟み込み状態および前記くし歯破損状態の少なくとも一方の状態が発生していることを検出した場合、前記第２の撮影部の撮影結果から前記乗客コンベアに前記乗客が乗っていないことを確認した後、前記乗客コンベアの運転を停止させる
請求項２に記載の乗客コンベアの制御装置。
【請求項４】
前記コントローラは、前記第１の判定において、予め記憶される参照音と、前記集音部によって集音された前記音とを比較することで前記音が前記異音であるか否かを判定し、
前記コントローラは、前記参照音を更新するリセット機能を備える
請求項１から３のいずれか１項に記載の乗客コンベアの制御装置。
【発明の詳細な説明】
【技術分野】
【０００１】
本発明は、乗客コンベアのくしの状態を検出する乗客コンベアの制御装置に関する。
【背景技術】
【０００２】
エスカレーターなどの乗客コンベアを運転している場合にくしと踏段との間に異物が挟み込まれている状態が継続することによって、くしのくし歯が破損してしまうことがある。そこで、従来において、このようなくし歯の破損を検出する技術が提案されている（例えば、特許文献１参照）。
【先行技術文献】
【特許文献】
【０００３】
【特許文献１】特開２００９−８４０１２号公報
【発明の概要】
【発明が解決しようとする課題】
【０００４】
ここで、特許文献１に記載の従来技術では、複数のくし歯のそれぞれにＩＤタグを取り付ける構成となり、構成が複雑化するという問題がある。また、特許文献１に記載の従来技術では、構成上、くし歯が破損している状態（以下、くし歯破損状態と称す）を検出できるものの、くし歯が破損する前のくしと踏段との間に異物が挟み込まれている状態（以下、異物挟み込み状態と称す）を検出できないという問題がある。
【０００５】
本発明は、上記のような課題を解決するためになされたものであり、構成を容易化しつつ、くしの状態として、異物挟み込み状態およびくし歯破損状態の両方を検出することのできる乗客コンベアの制御装置を得ることを目的とする。
【課題を解決するための手段】
【０００６】
本発明における乗客コンベアの制御装置は、乗客コンベアで発生する音を集音可能なように設けられた集音部と、乗客コンベアの踏段のクリートと噛み合うくしのくし歯部分を撮影可能なように設けられた第１の撮影部と、集音部によって集音された音と、第１の撮影部によって撮影されたくしのくし歯部分の画像とを取得するコントローラと、を備え、コントローラは、集音部によって集音された音が、くしと踏段との間に異物が挟み込まれている異物挟み込み状態が発生している場合に生じる異音であるか否かを判定する第１の判定を行い、第１の撮影部によって撮影されたくしのくし歯部分の画像から、異物挟み込み状態が発生しているか否かを判定する第２の判定を行い、第１の撮影部によって撮影されたくしのくし歯部分の画像から、くし歯が破損しているくし歯破損状態が発生しているか否かを判定する第３の判定を行い、第１の判定の結果と、第２の判定の結果と、第３の判定の結果とに基づいて、異物挟み込み状態が発生しているか否かと、くし歯破損状態が発生しているか否かとを検出するものである。
【発明の効果】
【０００７】
本発明によれば、構成を容易化しつつ、くしの状態として、異物挟み込み状態およびくし歯破損状態の両方を検出することのできる乗客コンベアの制御装置を得ることができる。
【図面の簡単な説明】
【０００８】
【図１】本発明の実施の形態１における乗客コンベアの制御装置を備えたエスカレーターを示す斜視図である。
【図２】本発明の実施の形態１における乗客コンベアの制御装置のコントローラによって行われるくしの状態を検出する一連の処理を示すフローチャートである。
【発明を実施するための形態】
【０００９】
以下、本発明による乗客コンベアの制御装置を、好適な実施の形態にしたがって図面を用いて説明する。なお、図面の説明においては、同一部分または相当部分には同一符号を付し、重複する説明を省略する。また、以下の実施の形態では、乗客コンベアの一例であるエスカレーターに本発明が適用される場合を例示するが、動く歩道等に対しても本発明が適用可能である。
【００１０】
実施の形態１．
図１は、本発明の実施の形態１における乗客コンベアの制御装置を備えたエスカレーターを示す斜視図である。
【００１１】
図１において、エスカレーターの上部および下部のそれぞれの乗降口の間に循環移動される複数の踏段１の両側には、エスカレーターの長手方向に沿って延びた欄干２が立設されている。各欄干２には、踏段１と同期して周回移動する移動手摺３が取り付けられている。
【００１２】
各乗降口に敷設された床板４の踏段１側には、エスカレーターの幅方向に沿って延びた板状のくし板５が敷設されている。くし板５には、幅方向に沿って配置された複数のくし６が、複数のねじ７によって取り付けられている。各くし６の先端には、複数のくし歯６ａが設けられている。くし６のくし歯６ａは、踏段１のクリート８と噛み合っている。くし板５は、くし６が踏段１のクリート８と噛み合う側に緩やかに傾斜されて配置されている。
【００１３】
欄干２には、長手方向に沿って配置されたスカートガード９が設けられている。マイクロフォン１０は、エスカレーターで発生する音を集音可能なように設けられた集音部の一例である。
【００１４】
カメラ１１は、踏段１のクリート８と噛み合うくし６のくし歯６ａを撮影可能なように設けられた第１の撮影部、およびエスカレーターに乗っている乗客を撮影可能に設けられた第２の撮影部の一例である。第１の撮影部および第２の撮影部の機能は、同一のカメラによって実現されていてもよいし、別々のカメラによって実現されていてもよい。
【００１５】
マイクロフォン１０およびカメラ１１は、エスカレーターのどの箇所に設けられていてもよいが、例えば、スカートガード９の、くし６付近の部分に設けられている。
【００１６】
コントローラ１２は、トラス内の機械室に設けられ、エスカレーター全体の動作を制御する。コントローラ１２は、例えば、演算処理を実行するマイクロコンピュータと、プログラムデータ、固定値データ等のデータを記憶するＲＯＭ（Ｒｅａｄ  Ｏｎｌｙ  Ｍｅｍｏｒｙ）と、格納されているデータを更新して順次書き換えられるＲＡＭ（Ｒａｎｄｏｍ  Ａｃｃｅｓｓ  Ｍｅｍｏｒｙ）等によって実現される。
【００１７】
コントローラ１２は、マイクロフォン１０によって集音された音と、カメラ１１を構成する第１の撮影部によって撮影されたくし歯６ａの部分の画像とを取得し、その取得した結果を用いて、異物挟み込み状態およびくし歯破損状態の少なくとも一方の状態が発生しているか否かを検出する。
【００１８】
なお、異物挟み込み状態は、くし６と踏段１との間に異物が挟み込まれている状態である。異物挟み込み状態が発生している場合に生じる異音は、エスカレーターが通常に運転しているときの稼働音、およびエスカレーターの周囲の環境音とは明らかに相違する。くし歯破損状態は、くし歯が破損している状態である。くし６と踏段１との間に異物が挟み込まれている状態が継続すれば、くし歯６ａが破損する。
【００１９】
上述したマイクロフォン１０、カメラ１１およびコントローラ１２は、乗客コンベアの制御装置を構成する。
【００２０】
次に、本実施の形態１におけるコントローラ１２によって行われるくし６の状態を検出する処理について、図２を参照しながら説明する。図２は、本発明の実施の形態１における乗客コンベアの制御装置のコントローラ１２によって行われるくし６の状態を検出する一連の処理を示すフローチャートである。
【００２１】
ステップＳ１０１において、コントローラ１２は、マイクロフォン１０によって集音された音を取得し、マイクロフォン１０から取得した音を用いて、第１の判定を行う。すなわち、コントローラ１２は、第１の判定として、マイクロフォン１０から取得した取得音が異音であるか否かを判定する。コントローラ１２は、マイクロフォン１０から取得した取得音が異音であると判定すれば、第１のフラグを立てる。その後、処理がステップＳ１０２へと進む。
【００２２】
具体的には、コントローラ１２は、マイクロフォン１０から取得した取得音と、メモリなどの記憶部（図示せず）に予め記憶されている参照音とを比較する。コントローラ１２は、その比較の結果として、取得音が参照音と異なる場合には、取得音が異音であると判定し、取得音が参照音と合致する場合には、取得音が異音でないと判定する。
【００２３】
なお、コントローラ１２は、取得音の周期性も併せて確認し、取得音が参照音と異なるという条件と、取得音が一定周期の音であるという条件との両方の条件を満たした場合、取得音が異音であると判定するように構成されていてもよい。このような構成によって、異物がくし６と踏段１との間に挟まれずに、くし６または踏段１に衝突しただけの衝突音と、異物挟み込み状態が発生している場合に生じる異音とを区別することが可能となる。
【００２４】
エスカレーターが通常に運転しているときの稼働音、およびエスカレーターの周囲の環境音のそれぞれは、予め、サンプリングされて参照音として記憶部に記憶される。コントローラ１２は、このような参照音を、マイクロフォン１０から取得した取得音と比較する。
【００２５】
このように、コントローラ１２は、集音部の一例としてのマイクロフォン１０によって集音された音が、くし６と踏段１との間に異物が挟み込まれている異物挟み込み状態が発生している場合に生じる異音であるか否かを判定する第１の判定を行うように構成されている。
【００２６】
ステップＳ１０２において、コントローラ１２は、カメラ１１を構成する第１の撮影部によって撮影されたくし６のくし歯６ａ部分の画像を取得し、カメラ１１から取得したくし６のくし歯６ａ部分の画像を用いて、第２の判定を行う。すなわち、コントローラ１２は、第２の判定として、カメラ１１から取得したくし６のくし歯６ａ部分の画像から、異物挟み込み状態が発生しているか否かを判定する。コントローラ１２は、異物挟み込み状態が発生していると判定すれば、第２のフラグを立てる。その後、処理がステップＳ１０３へと進む。
【００２７】
具体的には、コントローラ１２は、記憶部に記憶されている参照画像を用いて、カメラ１１から取得した取得画像、すなわちくし６のくし歯６ａ部分の画像を画像解析することで、くし６と踏段１との間に挟み込まれている異物が存在するか否かを判断する。
【００２８】
コントローラ１２は、その画像解析の結果、くし６と踏段１との間に挟み込まれている異物が存在すると判断した場合、異物挟み込み状態が発生していると判定する。一方、コントローラ１２は、その画像解析の結果、くし６と踏段１との間に挟み込まれている異物が存在しないと判断した場合、異物挟み込み状態が発生していないと判定する。
【００２９】
異物挟み込み状態およびくし歯破損状態が発生していない正常なくし６のくし歯６ａ部分の画像は、予め、撮影されて参照画像として記憶部に記憶される。コントローラ１２は、このような参照画像を用いて、くし６のくし歯６ａ部分の画像を画像解析する。
【００３０】
このように、コントローラ１２は、カメラ１１を構成する第１の撮影部によって撮影されたくし６のくし歯６ａ部分の画像から、異物挟み込み状態が発生しているか否かを判定する第２の判定を行うように構成されている。
【００３１】
ステップＳ１０３において、コントローラ１２は、ステップＳ１０２でカメラ１１から取得したくし６のくし歯６ａ部分の画像を用いて、第３の判定を行う。すなわち、コントローラ１２は、第３の判定として、カメラ１１から取得したくし６のくし歯６ａ部分の画像から、くし歯破損状態が発生しているか否かを判定する。コントローラ１２は、くし歯破損状態が発生していると判定すれば、第３のフラグを立てる。その後、処理がステップＳ１０４へと進む。
【００３２】
具体的には、コントローラ１２は、記憶部に記憶されている上述の参照画像を用いて、カメラ１１から取得した取得画像、すなわちくし６のくし歯６ａ部分の画像を画像解析することで、くし歯６ａが破損しているか否かを判断する。
【００３３】
コントローラ１２は、その画像解析の結果、くし歯６ａが破損していると判断した場合、くし歯破損状態が発生していると判定する。一方、コントローラ１２は、その画像解析の結果、くし歯６ａが破損していないと判断した場合、くし歯破損状態が発生していないと判定する。
【００３４】
このように、コントローラ１２は、カメラ１１を構成する第１の撮影部によって撮影されたくし６のくし歯６ａ部分の画像から、くし歯６ａが破損しているくし歯破損状態が発生しているか否かを判定する第３の判定を行うように構成されている。
【００３５】
ステップＳ１０４において、コントローラ１２は、ステップＳ１０１での第１の判定の結果と、ステップＳ１０２での第２の判定の結果と、ステップＳ１０３での第３の判定の結果とに基づいて、エスカレーターのくし６に異常が発生していることを検出したか否かを判断する。
【００３６】
すなわち、コントローラ１２は、第１のフラグおよび第２のフラグの少なくとも一方が立っているか否かによって、異物挟み込み状態が発生しているか否かを検出する。コントローラ１２は、第１のフラグおよび第２のフラグの少なくとも一方が立っていれば、異物挟み込み状態が発生していることを検出する。コントローラ１２は、第１のフラグおよび第２のフラグのいずれも立っていなければ、異物挟み込み状態が発生していないことを検出する。
【００３７】
コントローラ１２は、第３のフラグが立っているか否かによって、くし歯破損状態が発生しているか否かを検出する。コントローラ１２は、第３のフラグが立っていれば、くし歯破損状態が発生していることを検出する。コントローラ１２は、第３のフラグが立っていなければ、くし歯破損状態が破損していないことを検出する。
【００３８】
コントローラ１２は、異物挟み込み状態およびくし歯破損状態の少なくとも一方の状態を検出すれば、エスカレーターのくし６に異常が発生していることを検出する。コントローラ１２は、異物挟み込み状態およびくし歯破損状態のいずれの状態も検出しなければ、エスカレーターのくし６に異常が発生していることを検出しない。
【００３９】
ステップＳ１０４において、くし６に異常が発生していることを検出したと判断された場合には、処理がステップＳ１０５へと進み、くし６に異常が発生していることを検出しなかったと判断された場合には、処理が終了となる。
【００４０】
このように、コントローラ１２は、第１の判定の結果と、第２の判定の結果と、第３の判定の結果とに基づいて、異物挟み込み状態が発生しているか否かと、くし歯破損状態が発生しているか否かとを検出するように構成されている。
【００４１】
ステップＳ１０５において、コントローラ１２は、カメラ１１を構成する第２の撮影部によって撮影された画像から、エスカレーターに乗客が乗っていないか否かを判断する。エスカレーターに乗客が乗っていないと判断された場合には、処理がステップＳ１０６へと進み、エスカレーターに乗客が乗っていると判断された場合には、ステップＳ１０５の処理を再度実行する。
【００４２】
ステップＳ１０６において、コントローラ１２は、エスカレーターの運転を停止させる。その後、処理が終了となる。図２に示すフローチャートの処理が終了となれば、コントローラ１２は、立てられた上述のフラグを解除する。
【００４３】
このように、コントローラ１２は、異物挟み込み状態およびくし歯破損状態の少なくとも一方の状態が発生していることを検出した場合、乗客コンベアの運転を停止させるように構成されている。このような構成によって、くしの異常状態でのエスカレーターの運転の継続を回避することができる。
【００４４】
より具体的には、コントローラ１２は、異物挟み込み状態およびくし歯破損状態の少なくとも一方の状態が発生していることを検出した場合、第２の撮影部の撮影結果から乗客コンベアに乗客が乗っていないことを確認した後、乗客コンベアの運転を停止させるように構成されている。このような構成によって、エスカレーターに乗っている乗客が存在するにも関わらずエスカレーターの運転を停止させるような状況を回避することができる。
【００４５】
なお、記憶部に記憶されている上述の参照音を更新するリセット機能がコントローラ１２に具備されていてもよい。エスカレーターを保守する保守員などの操作によってリセット機能が機能した場合、エスカレーターが通常に運転しているときの稼働音、およびエスカレーターの周囲の環境音のそれぞれが新たにサンプリングされ、これらの音が新たな参照音として、記憶部にすでに記憶されている参照音に上書きされる。このようなリセット機能が設けられることで、エスカレーターの環境の変化に対応することができる。
【００４６】
このように、コントローラ１２は、第１の判定において、予め記憶される参照音と、マイクロフォン１０によって集音された音とを比較することで、その音が異音であるか否かを判定する構成に対して、参照音を更新するリセット機能を備えて構成されていてもよい。
【００４７】
以上、本実施の形態１によれば、乗客コンベアの制御装置は、集音された音が、くしと踏段との間に異物が挟み込まれている異物挟み込み状態が発生している場合に生じる異音であるか否かを判定する第１の判定の結果と、撮影されたくしのくし歯部分の画像から、異物挟み込み状態が発生しているか否かを判定する第２の判定の結果と、撮影されたくしのくし歯部分の画像から、くし歯が破損しているくし歯破損状態が発生しているか否かを判定する第３の判定の結果とに基づいて、異物挟み込み状態が発生しているか否かと、くし歯破損状態が発生しているか否かとを検出するように構成されている。
【００４８】
これにより、乗客コンベアのくしの状態として、異物挟み込み状態およびくし歯破損状態の両方を検出することが可能となる。また、複数のくし歯のそれぞれに取り付けられるＩＤタグを必要とせずに、マイクロフォンおよびカメラを用いて上述の構成を実現することができるので、構成の容易化が期待できる。つまり、乗客コンベアにおいて、装置構成を容易化しつつ、くしの状態として、異物挟み込み状態およびくし歯破損状態の両方を検出することができる。
【００４９】
さらに、異物挟み込み状態およびくし歯破損状態の少なくとも一方の状態が発生していることが検出された場合、乗客コンベアの運転を停止させる制御が行われることで、くしの異常状態での乗客コンベアの運転の継続を自動的に回避することができ、さらに、異物による踏段およびくしの摩耗を抑制することが可能となる。
【符号の説明】
【００５０】
１  踏段、２  欄干、３  移動手摺、４  床板、５  くし板、６  くし、６ａ  くし歯、７  ねじ、８  クリート、９  スカートガード、１０  マイクロフォン、１１  カメラ、１２  コントローラ。
【図１】
2019218173.tif 000003
【図２】
2019218173.tif 000004